(57)【要約】本発明は、ユーザが任意の場所に入ると、通信接続装置の固有識別情報又はユーザの位置情報に基づいて、ダイレクトサービスサーバから当該場所で必要なプログラム画面又はウェブページの提供を受け、特別な操作なしに自動で画面に表示することにより、ユーザが所望の各種業務を簡便に処理できるようにした移動端末機及びそのダイレクトサービス方法を提供する。【選択図】図３
2015523754.tif 000002
【特許請求の範囲】
【請求項１】
特定の場所に入ると当該場所がダイレクトサービス地域であるか否かを判断する段階と、
前記判断の結果、当該場所がダイレクトサービス地域の場合、ダイレクトサービスサーバに接続する段階と、
前記接続されたダイレクトサービスサーバから現在の場所に関するダイレクトサービスの提供を受ける段階と
を含むことを特徴とする移動端末機のダイレクトサービス提供方法。
【請求項２】
前記ダイレクトサービスの提供を受ける段階は、
前記接続されたダイレクトサービスサーバから現在の場所に関するプログラムを受信して画面に自動で表示する段階と、
前記表示されたプログラム画面でユーザの入力及び位置に基づいてダイレクトサービスの提供を受ける段階とを含み、
前記場所は、所定のネットワーク領域を有する空間であって、建物、コンサートホール、映画館、官公署、銀行、病院を含み、前記プログラム画面は、一般アプリケーション、ウェブアプリケーション又はホームページを含むことを特徴とする請求項１に記載の移動端末機のダイレクトサービス提供方法。
【請求項３】
前記ダイレクトサービスサーバは、予め定められたＩＰアドレス又は装置名を用いて接続され、前記プログラム画面は、履歴情報及び予約情報に基づいてユーザ毎に表示内容が異なることを特徴とする請求項１に記載の移動端末機のダイレクトサービス提供方法。
【請求項４】
前記ダイレクトサービスは、任意の場所で必要なプログラムを自動でインストール又は実行したり、当該場所で必要なデータを自動で送信又は受信したり、当該場所で所望のプログラム画面をリアルタイムで表示することを含むことを特徴とする請求項１に記載の移動端末機のダイレクトサービス提供方法。
【請求項５】
前記特定の場所に入ると当該場所に関する追加情報を表示してプログラム画面を格納するか否かを問うメッセージを出力する段階をさらに含み、
前記ダイレクトサービスの提供を受ける段階は、
前記ダイレクトサービスサーバから受信した現在の場所に関するプログラムを自動で実行して実行結果を格納する段階を含むことを特徴とする請求項１に記載の移動端末機のダイレクトサービス提供方法。
【請求項６】
特定の場所に入ると通信接続装置を感知する段階と、
前記感知された通信接続装置の固有識別情報及び付加情報をダイレクトサービスサーバに送信する段階と、
前記感知された固有識別情報に基づいて現在の場所で必要なプログラム画面又はウェブページを前記ダイレクトサービスサーバから受信して表示する段階と、
前記表示されたプログラム画面又はウェブページでユーザの入力及び位置に基づいてダイレクトサービスを提供する段階と
を含むことを特徴とする移動端末機のダイレクトサービス提供方法。
【請求項７】
前記通信接続装置は、ハブ、有無線ＩＰ共有機、無線ＡＰ（Access Point）、Ｂｌｕｅｔｏｏｔｈ（ブルートゥース）、ＺｉｇＢｅｅ（ジグビー）、ＮＦＣ（Near Field Communication）及びＰＣから構成されて少なくとも１つ設置され、個別に存在するか、又は前記ダイレクトサービスサーバと統合されて１つの通信モジュールとして形成されることを特徴とする請求項６に記載の移動端末機のダイレクトサービス提供方法。
【請求項８】
前記固有識別情報は、前記通信接続装置のリストと信号強度、ダイレクトサービスに登録されているか否か、場所名及び場所ＩＤの少なくとも１つを含むことを特徴とする請求項６に記載の移動端末機のダイレクトサービス提供方法。
【請求項９】
前記固有識別情報は、ＴＣＰ／ＩＰで接続する場合、ルータのＩＰアドレス及びゲート装置のＭＡＣアドレスを含むことを特徴とする請求項６に記載の移動端末機のダイレクトサービス提供方法。
【請求項１０】
前記プログラム画面又はウェブページは、履歴情報及び予約情報に基づいてユーザ毎に表示内容が異なり、前記ダイレクトサービスサーバは、前記通信接続装置の固有識別情報を用いるか又は予め定められたＩＰアドレス又は装置名を用いて接続されることを特徴とする請求項６に記載の移動端末機のダイレクトサービス提供方法。
【請求項１１】
前記ダイレクトサービスは、任意の場所で必要なプログラムを自動でインストール又は実行したり、当該場所で必要なデータを自動で送信又は受信したり、当該場所で所望のプログラム画面をリアルタイムで表示することを含むことを特徴とする請求項６に記載の移動端末機のダイレクトサービス提供方法。
【請求項１２】
前記付加情報は、ユーザの範囲の制限が必要な場所であるか否かに関する情報、広告及び広報物を含むか否かに関する情報を含むことを特徴とする請求項６に記載の移動端末機のダイレクトサービス提供方法。
【請求項１３】
前記ダイレクトサービスサーバから受信した現在の場所に関するプログラムを自動で実行して受信して出入記録を格納する段階と、
前記特定の場所に入ると当該場所に関する追加情報を表示し、前記プログラム画面を最終的に格納するか否かを問うメッセージを出力する段階とをさらに含むことを特徴とする請求項６に記載の移動端末機のダイレクトサービス提供方法。
【発明の詳細な説明】
【技術分野】
【０００１】
本発明は、移動端末機のカスタマイズサービスに関し、特にユーザが所定領域に入ると自動で当該領域に関するプログラムをインストール、実行及び運用することのできる移動端末機及びそのダイレクトサービス提供方法に関する。
【背景技術】
【０００２】
一般に、移動端末機は、小型・軽量化機器であって基本的な通信機能以外にも様々な機能を提供している。その様々な機能の例としては、データ及び音声通信機能、カメラによる写真や動画像の撮影機能、音声保存機能、スピーカシステムによる音楽ファイルの再生機能、静止画像や動画像の表示機能などがある。また、ゲーム実行機能を含む移動端末機もあり、マルチメディア機器として実現される移動端末機もある。
【０００３】
近年、スマートフォンの普及が進むにつれて、移動端末機の機能をサポート及び向上させるための努力が続けられている。その努力は、移動端末機を形成する構造的な構成要素の変更や改良だけでなく、ソフトウェアやハードウェアの改良をも含む。
【０００４】
現在用いられている情報通信機器、すなわち移動端末機には、事業者によりインストールされた又はユーザによりダウンロードされてインストールされた様々なアプリケーション（アプリ）が用いられている。しかし、移動端末機を用いる場所（例えば、銀行、映画館、博物館など）によって用いられるアプリケーションとそれに関するデータが異なる。
【０００５】
よって、移動端末機の幅広い活用性を確保するために、ユーザは任意の場所で必要なアプリケーションを事前に全てインストールして準備しておくか、その都度その場所でダウンロード及びインストール（セットアップ）して用いなければならないが、その場合、格納領域の消費が非効率的に増加したり、複数の段階を経るプログラムインストール作業の煩雑さと時間の浪費をその都度甘受しなければならない。
【０００６】
また、アプリケーションがウェブアプリケーションやホームページの形で提供された場合、ユーザは、まずウェブブラウザのアイコンを探してクリックしてウェブブラウザを実行し、その後該当ウェブサーバのアドレスを入力してトップ画面に接続し、必要に応じてログイン過程も経なければならず、現在の場所（例えば、銀行、映画館、博物館など）に関する情報を入力できる画面を探し出して所望の情報（入出金予約、チケット発行）を入力して初めて必要な情報が得られるので、情報の使用が難しかった。
【発明の概要】
【発明が解決しようとする課題】
【０００７】
本発明の目的は、別途の操作なしにユーザの位置する場所で必要なアプリケーション及び情報を自動で提供することのできる移動端末機及びそのダイレクトサービス提供方法を提供することにある。
【０００８】
本発明の他の目的は、任意の場所に存在するダイレクトサーバに接続してダイレクトサービスの提供を受けることのできる移動端末機及びそのダイレクトサービス提供方法を提供することにある。
【課題を解決するための手段】
【０００９】
上記目的を達成するために、本発明の一態様による移動端末機のダイレクトサービス提供方法は、特定の場所に入ると当該場所がダイレクトサービス地域であるか否かを判断する段階と、前記判断の結果、当該場所がダイレクトサービス地域の場合、ダイレクトサービスサーバに接続する段階と、前記接続されたダイレクトサービスサーバから現在の場所に関するダイレクトサービスの提供を受ける段階とを含む。
【００１０】
前記ダイレクトサービスの提供を受ける段階は、前記接続されたダイレクトサービスサーバから現在の場所に関するプログラムを受信して画面に自動で表示する段階と、前記表示されたプログラム画面でユーザの入力及び位置に基づいてダイレクトサービスの提供を受ける段階とを含む。
【００１１】
前記特定の場所は、所定のネットワーク領域を有する空間であって、建物、コンサートホール、映画館、官公署、銀行、病院を含み、前記プログラム画面は、一般アプリケーション、ウェブアプリケーション又はホームページを含む。
【００１２】
上記目的を達成するために、本発明の他の態様による移動端末機のダイレクトサービス提供方法は、特定の場所に入ると通信接続装置を感知する段階と、前記通信接続装置の固有識別情報及び付加情報をネットワークサーバに送信する段階と、前記固有識別情報に基づいてユーザの位置する場所で必要なプログラム画面又はウェブページを前記ネットワークサーバから受信して表示する段階と、前記表示されたプログラム画面又はウェブページでユーザの入力及び位置に基づいてダイレクトサービスを提供する段階とを含む。
【発明の効果】
【００１３】
本発明は、ユーザが任意の場所に入ると、接続装置の固有識別情報又はユーザの位置情報に基づいて、ダイレクトサービスサーバから当該場所で必要なプログラム画面又はウェブページの提供を受け、特別な操作なしに自動で画面に表示することにより、ユーザが所望の各種業務を簡便に処理できるという効果がある。
【００１４】
また、本発明は、ダイレクトサービスサーバから提供されたプログラムを格納する際に所定の条件（最終使用時点が早い順、使用頻度が低い順など）によりプログラム又はデータを自動削除し、特定の場所を出るときに該当アプリケーションを最終的に格納するか否かを問うメッセージを出力することにより、格納空間を効率的に活用できるという効果がある。
【００１５】
さらに、本発明は、通信接続装置とダイレクトサービスサーバとを１つの通信モジュールとして形成して設置することにより、コスト削減及び小型化はもとより設置及びメンテナンスも容易に行えるという効果がある。
【図面の簡単な説明】
【００１６】
【図１】本発明によるダイレクトサービスを提供するためのシステムの構成図である。
【図２】本発明による移動端末機の概略構成図である。
【図３】本発明の実施形態による移動端末機のダイレクトサービス方法の第１態様を示すフローチャートである。
【図４】本発明の実施形態による移動端末機のダイレクトサービス方法の第２態様を示すフローチャートである。
【発明を実施するための形態】
【００１７】
以下、添付図面を参照して本発明の実施形態について詳細に説明する。
【００１８】
以下の説明で用いられる構成要素の接尾辞である「モジュール」及び「部」は、明細書の作成を容易にするために付与されるものであり、それ自体が有意性や有用性を有するものではない。よって、「モジュール」及び「部」は、混用して用いることができることに留意すべきである。
【００１９】
近年、政府の情報化長期プロジェクトにより、官公署はもとより建物、銀行、映画館などでも、様々な情報サービスを提供するためのハードウェア及びそれに関連するソフトウェアが構築されている。また、スマートフォンなどのユーザ情報通信機器が発達するにつれて、ユーザの様々な欲求に応えてスマートフォンを用いた様々なサービスが行われている。
【００２０】
本発明は、前述したように、有形の空間で提供する異なる情報サービスを、情報通信機器（移動端末機、スマートフォン）の様々な機能と有機的かつ知能的に結合及び連係させ、ユーザに所望のサービスをより簡便に提供することのできる、ワンストップ（ONE-STOP）のダイレクトサービス（Direct-service）方法を提供する。
【００２１】
つまり、本発明は、有無線データ通信機能を有する情報通信機器（以下、移動端末機という）が任意の場所に入って通信接続装置を感知すると、その接続装置の固有識別情報に基づいて、その場所で必要なプログラム画面又はウェブページが特別な操作なしに直ちにダイレクトサービスサーバから提供されるようにするダイレクトサービス方法を提供する。前記任意の場所は、所定のネットワーク領域を形成する空間であって、建物、コンサートホール、映画館、官公署、銀行、病院などを含む。
【００２２】
また、本発明は、有無線データ通信機能を有する移動端末機が任意の場所に入ると、当該場所に設置されたダイレクトサービスサーバ（ネットワークサーバ）に直接接続し、当該場所で必要なダイレクトサービスプログラム及びデータの提供を受けるようにするダイレクトサービス方法を提供する。
【００２３】
本発明において、「ダイレクトサービス」とは、任意の場所で必要なプログラムを自動でインストール又は実行したり、当該場所でユーザに必要なデータを自動で送信又は受信したり、当該場所でユーザ所望のウェブページを表示する一連の情報提供サービスを含む。
【００２４】
また、本発明において、「ダイレクトサービス」とは、ユーザが特定の場所に入ると、別途の操作なしに当該場所に関するアプリケーション（又はデータ）を自動で提供し、当該場所に関するユーザの事前設定情報に基づいて後続作業に関するアプリケーション又はデータを提供する知能型情報提供サービスを含む。
【００２５】
前記通信接続装置は、ダイレクトサービスのために、固有識別情報及び付加情報（成人認証などのユーザの範囲の制限が必要な場所であるか否かの区別、広告及び広報物を含むか否かなど）を提供する。
【００２６】
本発明において、ダイレクトサービスの提供を受ける時点は、固有識別情報を提供する通信接続装置との接続前、接続後及び接続中のいつでも可能である。これは、移動端末機には通信接続装置と通信できる通信接続方法が複数存在するからである。前記複数の通信接続方法としては、ＷＬＡＮ（Wireless LAN）、Ｗｉ−Ｆｉなどの無線インターネット技術はもとより、Ｂｌｕｅｔｏｏｔｈ（ブルートゥース）（登録商標）、ＲＦＩＤ、ＩｒＤＡ（赤外線通信）、ＵＷＢ（Ultra Wideband）、ＺｉｇＢｅｅ（ジグビー）、ＮＦＣ（Near Field Communication）などの近距離通信技術も用いられる。
【００２７】
図１は本発明によるダイレクトサービスを提供するためのシステムの概略構成図である。
【００２８】
図１に示すように、本発明の実施形態によるダイレクトサービス装置は、ユーザ情報通信機器である移動端末機１００と、任意の場所に設置されて移動端末機１００と通信を行う少なくとも１つの通信接続装置２００と、移動端末機１００から受信した通信接続装置２００の固有識別情報又は移動端末機の位置情報に基づいて、特定の場所又は位置に応じたダイレクトサービスを提供するダイレクトサービスサーバ（ネットワークサーバ）３００とを含む。
【００２９】
移動端末機１００は様々な形態で実現することができる。例えば、本明細書に開示される移動端末機は、携帯電話、スマートフォン、ノートブックコンピュータ、タブレットＰＣ、デジタル放送端末、ＰＤＡ（Personal Digital Assistants）、ＰＭＰ（Portable Multimedia Player）、ナビゲーションなどを含む。
【００３０】
通信接続装置（機器）２００は、ハブ、有無線ＩＰ共有機、無線ＡＰ（Access Point）、Ｂｌｕｅｔｏｏｔｈ（ブルートゥース）、ＺｉｇＢｅｅ（ジグビー）、ＮＦＣ（Near Field Communication）及びＰＣから構成されて少なくとも１つ設置され、個別に存在するか、又は前記ダイレクトサービスサーバと統合されて１つの通信モジュールとして形成される。
しかし、以下の説明による構成は特別に構成された構成要素を除けば他の通信接続装置にも適用できることが、本発明の属する技術の分野における通常の技術を有する者には容易に理解されるであろう。
【００３１】
ダイレクトサービスサーバ３００は、ダイレクトサービスのアプリケーション（プログラム及びウェブページ）、会員情報及び予約情報を管理し、移動端末機１００から受信した通信接続装置２００の固有識別情報又は移動端末機の位置情報に基づいて、特定の場所又は位置に応じたダイレクトサービスを提供する。前記ユーザの位置情報は、通信接続装置２００により把握したり、各展示物に取り付けられた感知センサ又はＧＰＳから受信することができ、その他の様々な方法を用いることもできる。
【００３２】
通信接続装置２００とダイレクトサービスサーバ３００は、狭い場所や小さな建物に設置される場合は、別途に備えられるのではなく、ダイレクトサービスサーバだけ備えられる。この場合、ダイレクトサービスサーバ３００は、通信接続装置２００のほとんどの機能を含む。すなわち、コスト削減及び小型化はもとより設置及びメンテナンスも容易に行えるようにするために、通信接続装置２００とダイレクトサービスサーバ３００を１つの通信モジュールとして形成してもよい。
【００３３】
図２は本発明による移動端末機の概略構成図である。
【００３４】
図２に示すように、移動端末機１００は、無線通信部１１０、Ａ／Ｖ（Audio/Video）入力部１２０、ユーザ入力部１３０、感知部１４０、出力部１５０、メモリ１６０、インタフェース部１７０、制御部１８０、電源供給部１９０などを含む。
【００３５】
無線通信部１１０は、移動端末機１００と無線通信システム間の無線通信、又は移動端末機１００と通信接続装置２００間の無線通信を行う。
【００３６】
Ａ／Ｖ入力部１２０は、オーディオ信号又はビデオ信号の入力のためのものであり、カメラ１２１やマイク１２２などを含む。特に、マイク１２２は、音声認識モードで音声命令を入力するために用いられる。
【００３７】
ユーザ入力部１３０は、ユーザに端末機の動作制御のためのデータを入力させる部分であり、キーパッド、ドームスイッチ、タッチパッド（感圧／静電）、ジョグホイール、ジョグスイッチなどで構成される。
【００３８】
感知部１４０は、移動端末機１００の位置、ユーザの接触の有無、移動端末機の方位、移動端末機の加速／減速などの移動端末機１００の状態を感知し、移動端末機１００の動作を制御するための感知信号を発生する。
【００３９】
インタフェース部１７０は、移動端末機１００に接続される全ての外部機器とのインタフェースの役割を果たす。例えば、インタフェース部１７０は、有無線ヘッドセットポート、外部充電器ポート、有無線データポート、メモリカードポート、識別モジュールが備えられた装置を接続するポート、オーディオＩ／Ｏ（Input/Output）ポート、ビデオＩ／Ｏポート、イヤホンポートなどを含む。前記識別モジュールは、移動端末機１００の使用権限を認証するための各種情報を保存したチップであり、例えば加入者識別モジュール（Subscriber Identity Module; SIM）を含む。
【００４０】
出力部１５０は、オーディオ信号、ビデオ信号又はアラーム信号の出力のためのものであり、ディスプレイ部１５１、音響出力モジュール１５２及びアラーム部１５３を含む。
【００４１】
ディスプレイ部１５１は、移動端末機１００で処理される情報、又はダイレクトサービスのためのテキスト若しくは画像データを表示（出力）する。例えば、ディスプレイ部１５１は、移動端末機が特定の場所に入って当該場所の通信接続装置２００から受信したアプリケーションを表示したり、ダイレクトサービスに関するＵＩ（User Interface）若しくはＧＵＩ（Graphic User Interface）を表示する。ディスプレイ部１５１への入力は、キー入力及びタッチ入力を含み、ディスプレイ部１５１は、移動端末機１００の実現形態に応じて２つ以上備えられてもよい。
【００４２】
音響出力モジュール１５２は、呼信号受信モード、通話モード、録音モード、音声認識モード、放送受信モード、ダイレクトサービスモードなどで、無線通信部１１０（近距離通信モジュール、無線インターネットモジュールを含む）から受信するか、又はメモリ１６０に保存された各種のオーディオデータやダイレクトサービスデータを出力する。このような音響出力モジュール１５２は、スピーカ、ブザーなどを含む。
【００４３】
アラーム部１５３は、移動端末機１００のイベント（呼信号受信、メッセージ受信、キー信号入力、タッチ入力）発生、又はダイレクトサービスの変更を通知するための信号を出力する。アラーム部１５３は、振動の形で信号を出力することもできる。
【００４４】
メモリ１６０は、制御部１８０の処理及び制御のためのプログラム、ダイレクトサービス提供プログラム、及びダイレクトサービス提供中にユーザが入力したデータを保存する。メモリ１６０は、ダイレクトサービスに関するアプリケーション及びデータを一時保存し、ユーザがその場所を出ればユーザの選択によって又は自動で削除するように設定されてもよい。
【００４５】
制御部１８０は、移動端末機１００の全般的な動作を制御する。例えば、制御部１８０は、音声通話、データ通信、テレビ電話などに関連する制御及び処理を行う。また、制御部１８０は、ダイレクトサービスに関するアプリケーション及びデータを通信接続装置２００からメモリ１６０に一時保存させ、通信接続装置２００に接続してダイレクトサービスを提供する。
【００４６】
電源供給部１９０は、バッテリであって、制御部１８０の制御下で、供給された外部の電源、内部の電源を各構成要素に必要に応じて供給する。
【００４７】
以下、このように構成されたダイレクトサービス装置における本発明の実施形態によるダイレクトサービス方法について添付図面を参照して説明する。
【００４８】
本発明において、移動端末機は、特定の場所に入ると、当該場所がダイレクトサービス地域であるか否かを判断する。前記判断は、通信接続装置２００の固有識別情報に基づいて行われるか、又はダイレクトサービスサーバ３００がブロードキャストするデータ（パケット）に含まれるサーバＩＤに基づいて行われる。
【００４９】
移動端末機は、入った場所がダイレクトサービス地域の場合、当該場所に必要なプログラム又はデータが既に格納されている否かを判断するようにしてもよい。前記判断の結果、当該場所に必要なプログラム又はデータが既に格納されている場合は、直ちにダイレクトサービスを行い、格納されていない場合は、サーバに接続して必要なプログラムを受信する。
【００５０】
つまり、入った場所がダイレクトサービス地域であり、かつ移動端末機内に当該場所に必要なプログラム又はデータが既に格納されている場合は、サーバへの接続及び送受信段階は省略される。
【００５１】
＜ダイレクトサービスサーバへの接続＞
【００５２】
移動端末機は、入った場所がダイレクトサービス地域の場合、ダイレクトサービスサーバ３００に接続し、ダイレクトサービスサーバ３００から現在の場所に関するダイレクトサービスの提供を受けることができる。
【００５３】
本発明において、ダイレクトサービスサーバに接続する方法としては、通信接続装置２００の固有識別情報を用いる第１態様と、ダイレクトサービスサーバ３００がブロードキャストするデータ（パケット）に含まれるサーバＩＤを用いて直接ダイレクトサービスサーバ３００に接続する第２態様がある。前記第１、第２態様は、通信接続装置２００とダイレクトサービスサーバ３００が個別に存在する場合と１つの通信モジュールとして形成された場合のどちらにも適用される。
【００５４】
通信接続装置２００とダイレクトサービスサーバ３００が個別に存在する場合、前記第１態様は主に広い場所や大きな建物に適用され、前記第２態様は主に狭い場所や小さな建物に適用されて通信接続装置２００を別途に備えるのではなくダイレクトサービスサーバ３００が全ての動作を管理する。しかし、本発明は、これに限定されるものではなく、通信接続装置２００があっても、通信接続装置２００の識別番号を用いることなくダイレクトサービスサーバ３００に接続することができる。
【００５５】
それに対して、通信接続装置２００とダイレクトサービスサーバ３００が１つのモジュールとして形成された場合は、場所に制限されずに設置されて運用される。
【００５６】
前記第１態様において、移動端末機１００の制御部１８０は、ユーザが任意の場所に入ると、当該場所に設置された少なくとも１つの通信接続装置２００の固有識別情報（ＩＤ）を取得（受信）し、その取得された固有識別情報をダイレクトサービスサーバに送信し、その後必要なダイレクトサービスの提供を受ける。具体的な活用例は次の通りである。
【００５７】
制御部１８０は、ネットワーク領域内で特定の規則により命名された無線ＡＰのネットワーク名やブルートゥース装置名などを少なくとも１つ認知してダイレクトサービスに活用する。例えば、ネットワーク領域において所定のネットワークで「｛Ｄ｝国立博物館０１」という無線ネットワーク名又はブルートゥース装置名が感知されると、制御部１８０は、当該固有識別情報をダイレクトサービスサーバに送信し、ダイレクトサービスサーバは、「｛Ｄ｝」をダイレクトサービスに登録されているという意味で解釈し、「国立博物館」を設置場所（又は建物）名と解釈し、「０１」を場所ＩＤと解釈し、当該場所で必要なダイレクトサービスを移動端末機１００に提供する。
【００５８】
また、他の態様として、移動端末機がＴＣＰ／ＩＰ方式で接続される場合、制御部１８０は、接続されたネットワークのルータのＩＰアドレスやゲートウェイ装置のＭＡＣアドレスなどの識別情報を取得し、それをダイレクトサービスに活用することもできる。
【００５９】
前記第２態様において、移動端末機１００は、任意の場所で接続されたネットワークに存在するダイレクトサーバに直接接続し、ダイレクトサービスの提供を受けることができる。この場合、通信接続装置２００の固有識別情報は用いられない。具体的な活用例は次の通りである。
【００６０】
制御部１８０は、ネットワーク領域内に存在する装置（又は装備）を検索し、事前に特定の規則により設定されたホスト名を有する装置に接続し、ダイレクトサービスを受けることができる。例えば、装置名内に「＿Ｄ＿Ｓｅｒｖｅｒ＿」という単語が含まれるダイレクトサービスサーバに接続し、ダイレクトサービスの提供を受ける。
【００６１】
他の方法として、制御部１８０は、ネットワーク領域内に存在する装置を検索し、予め定められたＩＰアドレスを有する装置に接続し、ダイレクトサービスを受けることができる。例えば、ＩＰアドレスの最後の数字が２５５と決まっており、移動端末機のＩＰアドレスが［１９２．１６８．１０．１００］の場合、移動端末機は、ＩＰアドレスが［１９２．１６８．１０．２５５］の装置、例えばコンピュータに接続し、ダイレクトサービスの提供を受ける。
【００６２】
さらに他の方法として、制御部１８０は、通信接続装置２００の固有識別情報内に特定のＩＰアドレスが含まれる場合、これをダイレクトサービスサーバ３００のＩＰアドレスと判断し、ダイレクトサービスサーバ３００に接続する。このケースは、通信接続装置２００があっても、通信接続装置２００の固有識別情報を用いるのではなく、固有識別情報に含まれるＩＰアドレスを用いてダイレクトサービスサーバ３００に接続する例である。例えば、ネットワーク領域で感知された通信接続装置２００の固有識別情報が「｛Ｄ｝｛１４．４７．６０．２５３｝」の場合、制御部は、中括弧の中の数字（１４．４７．６０．２５３）をダイレクトサービスサーバのＩＰアドレスとして活用する。
【００６３】
前記のような方法で、移動端末機の制御部１８０は、特定の場所に入ると、当該場所が現在ダイレクトサービスを提供しているか否かを認識することができる。前記ダイレクトサービスを提供しているか否かは、通信装置に含まれるサーバＩＤ、又はダイレクトサービスサーバ３００がブロードキャストするデータ（パケット）に含まれるサーバＩＤに基づいて把握することができる。
【００６４】
移動端末機の制御部１８０は、当該場所が現在ダイレクトサービスを提供している場合、サーバＩＤを用いてダイレクトサービスサーバ３００に接続することにより、現在のユーザの位置で検索された少なくとも１つの通信装置２００に関する情報をダイレクトサービスサーバ３００に送信する。
【００６５】
よって、ダイレクトサービスサーバ３００は、移動端末機の制御部１８０から送信された通信装置関連情報を用いてユーザの位置を把握し、その後その場所に応じたダイレクトサービスを提供する。ここで、ダイレクトサービスサーバ３００は、ユーザにより予め設定された情報に基づいて、ユーザ毎に異なるダイレクトサービスを提供することができる。例えば、ユーザＡとユーザＢが映画館に同時に入った場合、前売りチケットを購入していないユーザＡには映画前売り画面を表示し、既に前売りチケットを購入しているユーザＢには発券画面を表示する。
【００６６】
また、本発明において、ダイレクトサービスサーバは、ダイレクトサービスの付加情報、例えば成人認証などのユーザの範囲の制限が必要な場所であるか否かの区別、広告及び広報物を含むか否かなどのように、ダイレクトサービスに必要な情報を用いることができる。
【００６７】
以上、移動端末機がダイレクトサービスサーバ３００に接続してダイレクトサービスが開始される場合を説明したが、逆にダイレクトサービスサーバ３００が移動端末機に接続してサービスすることもできる。
【００６８】
すなわち、通信接続装置２００が、通信接続装置２００自身及び自身への接続前、接続中、又は接続切断後の移動端末機１００の固有識別情報を、ダイレクトサービスサーバ３００に自ら又はサーバの情報要求に応答して送信できる場合、ダイレクトサービスサーバ３００は、受信した情報に基づいて情報を提供した通信接続装置又は他の経路を用いて移動端末機１００に接続し、ダイレクトサービスを提供することができる。
【００６９】
また、通信接続装置２００の固有識別情報を用いることなくダイレクトサービスを提供する場合も、移動端末機の接続状態の変化をダイレクトサービスサーバが感知すると、同様に現在の接続経路又は他の経路を用いてダイレクトサービスを提供することができる。
【００７０】
例えば、無線ＡＰは、無線ＡＰ自身の周辺に位置する移動端末機の情報が変更されたことを感知したとき、自動で又はダイレクトサービスサーバ３００の情報要求に応答して、無線ＡＰ自身及び移動端末機の固有識別情報をダイレクトサービスサーバ３００に送信し、ダイレクトサービスサーバ３００は、受信した情報を用いて現在３Ｇネットワークを介してインターネットに接続されている該当移動端末機を探して接続し、ダイレクトサービスを提供する。
【００７１】
以下、本発明の実施形態によるダイレクトサービスの提供事例を説明する。
【００７２】
まず、移動端末機１００、通信接続装置２００及びダイレクトサービスサーバ３００は、定められたネットワーク領域内で自動で接続を試みるように設定されている。ここで、通信接続装置２００及びダイレクトサービスサーバ３００は、移動端末機が接続できるように識別情報を送信する。
【００７３】
＜ダイレクトサービスの提供＞
【００７４】
ユーザ１が国立博物館を訪問する場合に移動端末機１００とダイレクトサービスサーバ３００間の通信によりダイレクトサービスを提供する例を説明する。
【００７５】
ユーザ１が「国立博物館」を訪問すると、国立博物館全体がネットワーク領域に設定される。ユーザ１が国立博物館の正門を通過すると（博物館のネットワーク領域に入ると）、ダイレクトサービスサーバは、会員情報を用いてユーザ１が現在ダイレクトサービスに登録されているユーザ（会員）であるか否かを認証する。
【００７６】
認証の結果、登録されているユーザの場合は、博物館アプリケーションをユーザ１の移動端末機１００（スマートフォン）に送信し、登録されていないユーザの場合は、ダイレクトサービス利用に対する課金を行うための決済ウィンドウを移動端末機１００に送信して表示させ、その後当該ユーザが決済ウィンドウでサービス利用に対する支払い動作を完了すると、博物館アプリケーションをユーザ１の移動端末機１００（スマートフォン）に送信する。すなわち、登録されているユーザには定期的に使用料金が課金されるので、決済ウィンドウを表示させない。
【００７７】
前記送信された博物館アプリケーションは、無線通信部１１０を介して制御部１８０に受信され、制御部１８０は、当該博物館アプリケーションが存在するか否かを把握し、既に存在する場合（ユーザがホームページからダウンロードしたり、前に訪問して格納した場合）は廃棄し、存在しない場合はメモリ１６０に格納すると共にディスプレイ部１５１に表示する。このために制御部１８０は、博物館アプリケーションを格納するか否かを選択させるメッセージを出力することができる。特に、ユーザ１が前に博物館アプリケーションを用いた場合は、該当プログラムを選択的に送信することができる。
【００７８】
このような一連の動作により、ユーザ１が国立博物館の正門を通過すると、自動で移動端末機（スマートフォン）の画面に各展示館で開催中の展示会情報と閲覧可能時間が掲載された国立博物館のホームページ画面が表示される。
【００７９】
正門を通過したユーザ１は「エジプト遺物展」を見るために入場券予約ボタンを押す。その後、ユーザ１が入場券売り場に着くと、ダイレクトサービスサーバ３００は、入場券購入情報を移動端末機１００に送信する。このとき、ダイレクトサービスサーバ３００は、ユーザ１の移動端末機が感知して送信した少なくとも１つの通信接続装置２００に関する情報（固有識別情報、装置名、信号強度）を用いてユーザ１の位置情報を把握し、その後該当位置に応じた入場券購入情報を送信する。前記固有識別情報は、通信接続装置のリストと信号強度、ダイレクトサービスに登録されているか否か、場所名及び場所ＩＤを含む。特に、ダイレクトサービスサーバ３００は、情報送信の正確性を高めるために、複数の通信接続装置２００に関する情報を受信しても、通信接続装置２００の位置情報が所定の基準値を満たす場合にのみ入場券購入情報を送信する。
【００８０】
前記送信された入場券購入情報により、移動端末機１００の画面には、予約した展示会入場券、学生割引が自動適用されたことを示すメッセージと共に、携帯電話小額決済ボタンが表示される。
【００８１】
よって、前記携帯電話小額決済ボタンを押して支払いを完了することにより、ユーザ１は入場券売り場に並んで順番を待つ必要なく直ちに「エジプト遺物展」の展示館に行けばよい。
【００８２】
展示館の入口には地下鉄の改札口に類似したゲートが設置されているが、前記ゲートはダイレクトサービスサーバ３００の制御によりユーザ１が近づくと自動で開くようになっている。
【００８３】
ユーザ１が「エジプト遺物展」の展示館内に入ると、移動端末機１００の制御部１８０は、展示館内に設置された通信接続装置２００の固有識別情報を取得してダイレクトサービスサーバ３００に送信し、ダイレクトサービスサーバは、当該「エジプト遺物展」に対応するダイレクトサービス、すなわちコンテンツを移動端末機１００に提供する。前記「エジプト遺物展」に対応するコンテンツは、展示物に関する映像及び音声データを含む。
【００８４】
例えば、ユーザ１がエジプト王冠に近づくと、王冠の由来と関連映像と共に、その説明が移動端末機のスピーカから音声出力される。
【００８５】
その後、ユーザ１が全ての観覧を終えて博物館の正門側に移動すると、来月開催される特別展示会情報などの付加情報（追加情報）が画面に表示され、最後に当該博物館アプリケーションを格納するか否かを問うメッセージが表示される。よって、ユーザ１は不要な場合に当該博物館アプリケーションを削除することによりメモリ１６０の格納空間を有用に活用することができる。
【００８６】
次に、ユーザ２が家の近くのコーヒーショップに行く場合を例に挙げて説明する。
【００８７】
ユーザ２が「コーヒーショップ」に入ると、ダイレクトサービスサーバ３００は、移動端末機（スマートフォン）１００にダイレクトサービス利用プログラムを送信して画面に表示させる。前記ダイレクトサービス利用プログラムは、注文画面であってもよい。また、ダイレクトサービスサーバ３００は、ユーザ２に関する情報を検索し、得意客の場合は、画面によく注文していたエスプレッソの写真を表示させると共に「注文しますか。」というメッセージを直ちに表示させる。
【００８８】
ダイレクトサービスサーバ３００は、ユーザ２が確認ボタンを押すと、順番待ちの番号が７番であるというメッセージを移動端末機に送信して表示させ、コーヒーが出来上がると、該当メッセージを送信する。ここで、前記各メッセージが送信される際に、制御部１８０が異なるサウンド又はメロディを出力するようにしてもよい。すなわち、順番待ちメッセージの場合は短いアラーム音を出力し、コーヒー出来上がりメッセージの場合は少し長いメロディを出力するようにしてもよい。
【００８９】
よって、ユーザ２は空いた席に座ってコーヒーを待つ間友人と通話することができ、通話中にコーヒーが出来上がると、ダイレクトサービスサーバ３００はその事実を示す情報を移動端末機１００に送信する。前記送信された情報に基づいて、移動端末機１００の音響出力モジュール１５２により心地よいメロディが出力され、ディスプレイ部１５１の画面にはカウンタにコーヒーが出来上がっているというメッセージが表示される。
【００９０】
コーヒーを受け取ってコーヒーショップを出ると、ユーザ２の移動端末機から、付加情報（追加情報）、すなわち「次は貯まったポイントでエスプレッソが２杯飲めます。」という音声メッセージが出力され、ダイレクトサービス利用プログラムを格納するか否かを問うメッセージが表示される。ユーザ２はダイレクトサービス利用プログラムを次回に再び使用できるように格納を選択することができる。
【００９１】
また、前記ダイレクトサービス利用プログラムは、格納するか否かを問うメッセージを出力するのではなく、自動で格納されるようにしてもよい。このようなメッセージの選択的出力は、選択オプションで設定可能である。
【００９２】
図３は本発明の実施形態による移動端末機のダイレクトサービス方法の第１態様を示すフローチャートである。前記第１態様は、通信接続装置２００とダイレクトサービスサーバ３００が別途に備えられるケースに該当する。
【００９３】
ユーザが特定の場所、すなわち当該場所が形成するネットワーク領域に入ると（Ｓ１０）、移動端末機１００の制御部１８０は、少なくとも１つの通信接続装置２００の固有識別情報及び付加情報（成人認証などのユーザの範囲の制限が必要な場所であるか否かの区別、広告及び広報物を含むか否かなどの情報）を感知し、その感知された固有識別情報及び付加情報をダイレクトサービスサーバ３００に送信する（Ｓ１１、Ｓ１２）。
【００９４】
通信接続装置２００は、当該場所の内部又は外部に位置する。
【００９５】
また、当該場所が形成するネットワークに特定のユーザ（移動端末機）が入ると、これを通信接続装置２００が感知する。通信接続装置２００は、端末機の識別情報を自動で又はダイレクトサービスサーバ３００の周期的な要求によりダイレクトサービスサーバ３００に送信する。
【００９６】
ダイレクトサービスサーバ３００は、通信接続装置２００から提供された端末機の識別番号又は移動端末機から送信された固有識別情報及び付加情報を用いて、当該場所で必要なアプリケーション（一般アプリケーション、ウェブアプリケーション、ホームページ）及びデータを移動端末機１００に送信する。このとき、ダイレクトサービスサーバ３００は、ユーザのプログラム及びデータ使用履歴に基づいて、選択的にプログラムを提供したりデータを送受信したりすることができる。すなわち、ダイレクトサービスサーバ３００は、ユーザが前に同一のプログラムを使用したことがある場合、格納されたプログラム（アプリケーション）が活性化されるようにすることができる。
【００９７】
特に、通信接続装置２００から端末機の識別情報を受信した場合、ダイレクトサービスサーバ３００は、予め定められた通信チャネルを介して、当該場所で必要なアプリケーション（一般アプリケーション、ウェブアプリケーション、ホームページ）及びデータを移動端末機１００に送信する。
【００９８】
移動端末機１００の制御部１８０は、受信したアプリケーションをメモリ１６０に格納して実行する（Ｓ１３、Ｓ１４）。このとき、制御部１８０がユーザにインストール及び実行を行うか否かを問うメッセージを別途のウィンドウに表示するようにしてもよい。特に、格納容量が足りない場合、制御部１８０は、所定の規則（インストール時点が早い順、使用頻度が低い順など）により、既に使用したプログラム又はデータを削除して格納空間を確保する。
【００９９】
よって、制御部１８０は、ダイレクトサービスサーバ３００と通信を行いながら、通信接続装置２００の固有識別情報に基づいた前記場所に関するダイレクトサービスの提供を受け（Ｓ１５）、提供されるダイレクトサービスを出力部１５０から映像及び音声の形態で出力する。
【０１００】
その後、ユーザがダイレクトサービスの提供を全て受けて前記場所を出ると、ダイレクトサービスサーバ３００は、当該場所に関する追加情報（付加情報）を移動端末機１００に提供し、移動端末機の制御部１８０は、既に格納されているアプリケーションを削除するか否かをユーザが選択できるように所定のメッセージを出力する。
【０１０１】
図４は本発明の実施形態による移動端末機のダイレクトサービス方法の第２態様を示すフローチャートである。前記第２態様は、ダイレクトサービスサーバだけ備えられるケースに該当する。
【０１０２】
図４に示すように、ユーザが特定の場所、すなわち当該場所が形成するネットワーク領域に入ると（Ｓ２０）、移動端末機１００の制御部１８０は、ダイレクトサービスサーバ３００に接続し、ダイレクトサービスサーバ３００から当該場所で必要なアプリケーションを受信する（Ｓ２１）。
【０１０３】
制御部１８０は、受信したアプリケーションをメモリ１６０に格納して実行する（Ｓ２２）。格納容量が足りない場合、制御部１８０は、所定の規則（インストール時点が早い順、使用頻度が低い順など）により、既に使用したプログラム又はデータを削除して格納空間を確保する。
【０１０４】
制御部１８０は、ダイレクトサービスサーバ３００と通信を行いながら、前記場所に関するダイレクトサービスの提供を受け（Ｓ２３）、提供されるダイレクトサービスを出力部１５０から映像及び音声の形態で出力する。このとき、ユーザの位置情報を用いるようにしてもよい。
【０１０５】
例えば、制御部１８０は、特定のユーザが会社の出入口を通過すると管理プログラムを実行して簡単に出勤記録を格納する（プログラムは表示しない）ようにすることもでき、銀行の出入口に入ると銀行業務に必要なアプリケーションを実行して表示するようにすることもできる。
【０１０６】
その後、ユーザがダイレクトサービスの提供を全て受けて前記場所を出ると、制御部１８０は、当該場所に関する付加情報をダイレクトサービスサーバ３００から受信して画面に表示し、既に格納されているアプリケーションを削除するか否かをユーザが選択できるように所定のメッセージを出力する。
【産業上の利用可能性】
【０１０７】
以上のように、本発明は、ユーザが任意の場所に入ると、接続装置の固有識別情報又はユーザの位置情報に基づいて、ダイレクトサービスサーバから当該場所で必要なプログラム画面又はウェブページの提供を受け、特別な操作なしに自動で画面に表示することにより、ユーザが所望の各種業務を簡便に処理することができる。
【０１０８】
また、本発明は、通信接続装置とダイレクトサービスサーバとを１つの通信モジュールとして形成して設置することにより、コスト削減及び小型化はもとより設置及びメンテナンスも容易に行うことができる。
【０１０９】
本発明による移動端末機は、上記実施形態の構成と方法に限定されるものではなく、各実施形態の全部又は一部を選択的に組み合わせて構成することで様々に変形することができる。
【図１】
2015523754.tif 000003
【図２】
2015523754.tif 000004
【図３】
2015523754.tif 000005
【図４】
2015523754.tif 000006
【国際調査報告】
2015523754.tif 000007
2015523754.tif 000008
2015523754.tif 000009
2015523754.tif 000010